(57)【要約】【課題】自転車のサドルに装着されるサドルシートの見栄えの向上と、クッション性の向上とを提供することである。【解決手段】自転車のサドルに装着されるサドルシートであって、防滴機能を有しサドルの上面を覆う天シート１と、防滴機能を有しサドルの側方を覆う側方シート２と、側方シート２をサドルの中心に引き寄せてサドルシートの装着状態を維持する止着部７と、天シート１の周縁において天シート１を内側に向かって折り返した第１折り返し部１０と、側方シート２の上縁において側方シート２を内側に折り返した第２折り返し部２０と、第１折り返し部１０と第２折り返し部２０とを糸で縫い合わせた縫合部５と、天シート１の下方に配置され樹脂の発泡体からなるクッション６とを備える。【選択図】図３
0003174934.tif 000002
【実用新案登録請求の範囲】
【請求項１】
自転車のサドルに装着されるサドルシートであって、
防滴機能を有しサドルの上面を覆う天シート１と、
防滴機能を有しサドルの側方を覆う側方シート２と、
前記側方シート２をサドルの中心に引き寄せてサドルシートの装着状態を維持する止着部７と、
前記天シート１の周縁において前記天シート１を内側に向かって折り返した第１折り返し部１０と、
前記側方シート２の上縁において前記側方シート２を内側に折り返した第２折り返し部２０と、
前記第１折り返し部１０と第２折り返し部２０とを糸で縫い合わせた縫合部５と、
前記天シート１の下方に配置され樹脂の発泡体からなるクッション６とを備えたサドルシート。
【請求項２】
請求項１において、
前記クッション６を前記天シート１の裏面に沿って保持するために、前記天シート１との間で前記クッション６を挟む網状のシート押さえ３と、
前記シート押さえ３の周縁において前記シート押さえ３を内側に折り返し当記折り返された部位が前記第１および第２折り返し部１０，２０と共に前記縫合部５の糸によって縫い合わされた第３折り返し部３０とを更に備えたサドルシート。
【請求項３】
請求項１もしくは２のいずれか１項において、
前記第１折り返し部１０と第２折り返し部２０との間に前記天シート１の周縁に沿ってループ状に配置され前記第１折り返し部１０および２折り返し部２０と共に前記縫合部５で縫合された縁材４を更に備え、前記縁材４は、前記第１折り返し部１０に対面する第１部４１と、前記第２折り返し部２０に対面する第２部４２と、前記第１部４１および第２部４２に連なり前記第１折り返し部１０および第２折り返し部２０の間から外方に向かって突出する丸紐状の丸紐部４０とが一体に連なった帯状で、前記丸紐部４０内に前記丸紐部４０の形状を保持するコア４３が収容されていることを特徴とするサドルシート。
【請求項４】
請求項１，２もしくは３のいずれか１項において、前記縁材４は、
長手方向の端において前記丸紐部４０を２重の筒のように前記長手方向に折り返した二重部４４を有する第１端部４Ｅ１と、
前記第１端部４Ｅ１内に挿入されて前記第１端部４Ｅ１にループ状に連結された第２端部４Ｅ２とを更に備えることを特徴とするサドルシート。
【考案の詳細な説明】
【技術分野】
【０００１】
本考案は、自転車のサドルに装着されるサドルシートに関する。
【背景技術】
【０００２】
従来、サドルにポリ袋が装着されて使用されていたが、見栄えが悪いなどの問題があった。そこで、サドルに装着する種々のシートが販売されている。
かかるシートの先行文献としては、下記のようなものが存在する。
【先行技術文献】
【特許文献】
【０００３】
【特許文献１】ＪＰ２００３−３３５２７７Ａ（要約）
【考案の概要】
【０００４】
しかし、前記従来のサドルシートでは、見栄えが十分に向上せず、又、クッション性も悪いなどの問題が生じた。
【０００５】
すなわち、本考案は自転車のサドルに装着されるサドルシートであって、
防滴機能を有しサドルの上面を覆う天シート１と、
防滴機能を有しサドルの側方を覆う側方シート２と、
前記側方シート２をサドルの中心に引き寄せてサドルシートの装着状態を維持する止着部７と、
前記天シート１の周縁において前記天シート１を内側に向かって折り返した第１折り返し部１０と、
前記側方シート２の上縁において前記側方シート２を内側に折り返した第２折り返し部２０と、
前記第１折り返し部１０と第２折り返し部２０とを糸で縫い合わせた縫合部５と、
前記天シート１の下方に配置され樹脂の発泡体からなるクッション６とを備えている。
【０００６】
本考案によれば、天シート１と側方シート２とを縫合部５で縫い合わせて縫合するので、サドルに合致した立体形状となり見栄えが向上する。
また、天シート１の下面に沿ってスポンジシートからなるクッション６が配置されているので、クッション性が向上する。
【図面の簡単な説明】
【０００７】
【図１】本考案の一実施例を示すサドルシートを斜め上方から見た概略斜視図である。
【図２】同サドルシートを斜め下方から見た概略斜視図である。
【図３】縁の部位を断面した拡大横断面図である。
【図４】同縁の部位の連結部の部位を断面した拡大横断面図である。
【図５】同連結部位の拡大分解斜視図および拡大縦断面図である。
【実施例】
【０００８】
以下、本考案の更に詳しい構造について説明する。
図１〜図５に示すように、本サドルシートは自転車のサドルに装着されるサドルシートであって、
防滴機能を有しサドルの上面を覆う天シート１と、
防滴機能を有しサドルの側方を覆う側方シート２と、
前記側方シート２をサドルの中心に引き寄せてサドルシートの装着状態を維持する止着部７と、
前記天シート１の周縁において前記天シート１を内側に向かって折り返した第１折り返し部１０と、
前記側方シート２の上縁において前記側方シート２を内側に折り返した第２折り返し部２０と、
前記第１折り返し部１０と第２折り返し部２０とを糸で縫い合わせた縫合部５と、
前記天シート１の下方に配置され樹脂の発泡体からなるクッション６とを備えている。
【０００９】
本実施例において、前記クッション６を前記天シート１の裏面に沿って保持するために、前記天シート１との間で前記クッション６を挟む網状のシート押さえ３と、
前記シート押さえ３の周縁において前記シート押さえ３を内側に折り返し当記折り返された部位が前記第１および第２折り返し部１０，２０と共に前記縫合部５の糸によって縫い合わされた第３折り返し部３０とを更に備える。
【００１０】
このように、スポンジシートからなるクッション６を網状のシート押さえ３で押さえた場合、シート押さえ３が水を含みにくいので、雨水がシート押さえ３を通してクッション６に侵入しにくいという利点がある。
【００１１】
本実施例において、前記第１折り返し部１０と第２折り返し部２０との間に前記天シート１の周縁に沿ってループ状に配置され前記第１折り返し部１０および２折り返し部２０と共に前記縫合部５で縫合された縁材４を更に備え、前記縁材４は、前記第１折り返し部１０に対面する第１部４１と、前記第２折り返し部２０に対面する第２部４２と、前記第１部４１および第２部４２に連なり前記第１折り返し部１０および第２折り返し部２０の間から外方に向かって突出する丸紐状の丸紐部４０とが一体に連なった帯状で、前記丸紐部４０内に前記丸紐部４０の形状を保持するコア４３が収容されていることを特徴とする。
【００１２】
この場合、縫合部５の縫い目から雨水が本サドルシートに侵入しようとしても、丸紐状の丸紐部４０は、天シート１の第１折り返し部１０と縁材４の第１部４１との間の隙間を外から覆い、かつ、側方シート２の第２折り返し部２０と縁材４の第２部４２との間の隙間を外から覆う。したがって、雨水が縫合部５から侵入しにくくなる。
【００１３】
本実施例において、前記縁材４は、長手方向の端において前記丸紐部４０を２重の筒のように前記長手方向に折り返した二重部４４を有する第１端部４Ｅ１と、
前記第１端部４Ｅ１内に挿入されて前記第１端部４Ｅ１にループ状に連結された第２端部４Ｅ２とを更に備える。
【００１４】
この場合、縫合部５の継ぎ目の見栄えが向上する。
【産業上の利用可能性】
【００１５】
本考案は自転車のサドルシートに用いることができる。
【符号の説明】
【００１６】
１：天シート
１０：第１折り返し部
２：側方シート
２０：第２折り返し部
３：シート押さえ
３０：第３折り返し部
４：縁材
４Ｅ１：第１端部
４Ｅ２：第２端部
４０：丸紐の丸紐部
４１：第１部
４２：第２部
４３：コア
４４：二重部
５：縫合部
６：クッション
７：止着部
【図３】
0003174934.tif 000003
【図４】
0003174934.tif 000004
【図５】
0003174934.tif 000005
【図１】
0003174934.tif 000006
【図２】
0003174934.tif 000007